(57)【特許請求の範囲】
【請求項１】
玉タンクから玉整列レールを経て、二本の玉導入路によって賞玉用と貸玉用に区分され整列した玉を受け入れ、駆動モータの回転方向を正逆切り替えることにより二本の玉導入路に設けられた玉送出手段の何れか一方を駆動させて賞玉または貸玉を払出すとともに、玉計数手段によって払出玉数を計数制御するようにした、筐体に組み込まれる玉計数払出装置において、
前記玉送出手段における、賞玉用と貸玉用の２組の玉送出部材とその駆動手段とを、外部を覆うものがないユニットとなして、一括して前記筐体から取り外し可能としたうえに、
賞玉用と貸玉用の２組の玉送出部材を、羽根車と一方向回転爪車とからなるものとするとともに、二つの一方向回転爪車の回転方向を、歯車装置を介して相互に反対方向になるよう設定して、駆動モータの正逆回転の切り替えによって、二つの羽根車のいずれか一方が選択的に回転されるようにしたことを特徴とするパチンコ機の玉計数払出装置。
【発明の詳細な説明】
【０００１】
【発明の属する技術分野】
本発明は、パチンコ機における玉を貸玉と賞玉とに区分し、それぞれの送り出し個数を計数しながら遊技者に提供できる玉計数払出装置の改良に関する。
【０００２】
【従来の技術】
パチンコ機の裏面には、図６に例示するように、セット板１に、賞玉および貸玉を遊技者に供給するための装置として箱型の玉タンク１１、玉整列レール１２、玉の流速を制御する玉誘導路ユニット１３などが上部から順次配置され、ここまで誘導された玉は、次の筐体内に設けられた、玉計数機能を備えた玉計数払出装置１４によって、所定個数の玉が賞玉または貸玉として遊技者に提供されるように、各機能装置が設定されている。
【０００３】
具体的には、遊技者が入賞したり、また貸玉を要求したりしたときには、その情報は電気信号となって、玉計数払出装置１４を起動する。この玉計数払出装置１４には、スクリューのピッチ間に玉を収納した状態でスクリューを回転させ、玉を一定のピッチで送り出す回転スクリュー方式、あるいは羽根車の羽根の間のポケットに玉を収納した状態で羽根車を回転させ、玉を一定のピッチで送り出すようにした方式の玉払出しのための装置がすでに実用化されている。
【０００４】
この払出し機構によって送り出される玉は、光センサ、電磁センサなどを備えた非接触式のカウンタ機構によって正確な個数がカウントされ、パチンコ機の所定場所に払出されて遊技者に提供される。そして、この玉の払出しに伴い、玉タンク１１に貯留されている玉は、下方の玉整列レール１２に流入し、ここで玉の流れは整流され、玉誘導路ユニット１３を通じて前記玉計数払出装置１４に順次供給されて補充される。
【０００５】
このような従来の玉計数払出装置１４では、玉を直接送り出す前記のスクリュー部材あるいは羽根車部材が、前記玉誘導路ユニット１３の直下に位置する筐体内において、その筐体内に形成された玉導入路と玉送出路との間に取り付けられ、この筐体の外側に駆動モータを固定するとともに、スクリュー部材あるいは羽根車部材と駆動モータとの間には、回転伝達にための手段としての、例えば、歯車、ジョイント、クラッチ、シャフトなどが配置されるのであるが、これら機能部品は、取り付け固定するのに好都合な位置に、例えば、筐体構成部材を支点にして支持されるようにして、個別に取り付けられていた。
また、玉計数機構も、例えば光センサ方式の場合には、発光部と受光部などを個別に、筐体内の玉誘導路の要所に配置するようにしていた。
【０００６】
そして、このような玉払出装置あるいは玉計数装置は精巧に構成されているので、定期的なメンテナンス、例えば点検、清掃、あるいは修理などを行うために、その都度、装置の全部品を筐体から取り外す必要があったが、駆動モータ、複数の歯車、羽根車部材など各部品を個別に分解しながら取り外すため、かなりの手間と時間がかかるという不具合があった。さらに、パチンコ機を廃棄処分するときには、この玉払出装置あるいは玉計数装置は機能部品からからなるので、これらを収容する筐体を構成するプラスチック材とは分別処理する必要があるが、その際にも個々に取り外すために手間がかかり、改善が望まれた。
【０００７】
【発明が解決しようとする課題】
本発明は、上記の問題点を解決するためになされたものであり、点検、修理、清掃などのメンテナンス、または廃棄処分時の分別処理、有用資材のリサイクルなどに際して、筐体から取り外し易い玉計数払出装置を提供する。
【０００８】
【課題を解決するための手段】
上記の問題は、玉タンクから玉整列レールを経て、二本の玉導入路によって賞玉用と貸玉用に区分され整列した玉を受け入れ、駆動モータの回転方向を正逆切り替えることにより二本の玉導入路に設けられた玉送出手段の何れか一方を駆動させて賞玉または貸玉を払出すとともに、玉計数手段によって払出玉数を計数制御するようにした、筐体に組み込まれる玉計数払出装置において、前記玉送出手段における、賞玉用と貸玉用の２組の玉送出部材とその駆動手段とを、外部を覆うものがないユニットとなして、一括して前記筐体から取り外し可能としたうえに、賞玉用と貸玉用の２組の玉送出部材を、羽根車と一方向回転爪車とからなるものとするとともに、二つの一方向回転爪車の回転方向を、歯車装置を介して相互に反対方向になるよう設定して、駆動モータの正逆回転の切り替えによって、二つの羽根車のいずれか一方が選択的に回転されるようにしたことを特徴とするパチンコ機の玉計数払出装置によって解決することができる。
【００１０】
本発明によれば、玉送出手段のうち少なくとも玉送出部材とその駆動手段とを相互に組み付けて、それらを一括して前記筐体から取り外し可能としたので、点検、修理、清掃などの点検時に玉送出手段の機能部品を簡単に取り外して、所要のメンテナンス操作を行うことができる利点が得られる。さらに、パチンコ機を廃棄する場合には、前記部品を構成する金属類、構造用プラスチック類を筐体部材など簡単に分離でき、リサイクルや分別処理を容易にするという利点も得られる。
【００１２】
【発明の実施の形態】
次に、本発明の玉計数払出装置に係る実施形態について、図１〜５を参照しながら説明する。
本発明の玉計数払出装置は、図６に例示した玉タンク１１から玉整列レール１２を経て整列状態で誘導路ユニット１３を通じて受け入れた玉を送出する機能を備えた玉送出手段と、送出玉数を計数制御する玉計数手段からなり、玉導入路と玉送出路を備えた筐体に組み込まれる玉計数払出装置１４をその基本構造としている。
【００１３】
そして、その特徴とするところは、前記玉送出手段のうち少なくとも玉送出部材とその駆動手段とをユニット化し、一括して前記筐体から取り外し可能とした点にある。
次に、前記玉送出部材として羽根車方式を用い、それを回転させるための駆動モータと、その回転力の伝達手段などをユニット化した組付け構造の形態を詳細に説明する。
【００１４】
先ず、前記玉送出手段は、その構成部品を直列的に展開した図１に示すように、右端に示す駆動モータ２、この駆動モータ２が取り付けられるベース３、次いで、前記駆動モータ２の回転を伝達し、必要に応じて回転方向を変換する手段としての複数の歯車からなり、前記ベース３側に組み付けられる歯車装置４、駆動モータ２の駆動軸に接続される支持軸５、などの駆動伝達手段、および、この支持軸５に遊嵌状態に支持される羽根車６１、玉案内盤６３、羽根車６２、などの玉送出手段を順次組み付けてユニットに形成される。
【００１５】
そして、一方向回転爪車６１ａ、６２ａは、前記羽根車６１と羽根車６２との両側に配置され、支持軸５の回転は一方向回転爪車６２ａに伝達され、前記羽根車６２を一方向にのみ回転させるものである。また、一方向回転爪車６１ａには、駆動モータ２の回転が歯車装置４を介して伝達され、他方の羽根車６１を一方向にのみ回転させるものである。この場合、一方向回転爪車６１ａと６２ａの回転方向は、歯車装置４を介して相互に反対方向になるよう設定され、駆動モータ２の正転、逆転の切り替えによって、前記羽根車６１と羽根車６２のいづれか一方を選択的に一方向に回転させることができるものである。
【００１６】
このように、羽根車６１と羽根車６２とを個別に制御可能とすれば、玉タンクから玉整列レールを経て導入した玉を単に払出すだけではなく、賞玉用と貸玉用に区分され整列した玉を受け入れ、駆動モータの回転方向を正逆切り替えることにより玉送出手段を制御して賞玉または貸玉を区別して払出すことができる機能を付与することができるのである。
【００１７】
図２は、図１における駆動モータ２、ベース３および歯車装置４との配置関係を、反対方向から見た斜視図であり、歯車装置４は、ベース３に固定して設けられたギヤ支軸３１、３１、およびベース３内に突出した、駆動モータ２の駆動軸２１に接続される支持軸５（図示せず）に組付けられて、駆動軸２１の回転方向と逆方向に図１の一方向回転爪車６１ａを回転させるための、回転伝達・回転方向変換手段として機能する歯車群である。
【００１８】
このように、駆動モータ２と、ベース３と、羽根車６１、６２など回転部材とは、相互に組み付けられて玉送出ユニットＵ１を形成し、さらに図３に示すような位置関係において、筐体７の側面に設けられた装着開口７２から、前記回転部材が装入され、駆動モータ２の取付孔２２、ベース３の取付孔３２を通じて、筐体７側の取付部７４に取付ビス２３など取付部材によって固定される。この場合、後記するように、玉計数ユニットＵ２も、筐体７の装着開口７３に装入して、装着するものとする。
【００１９】
前記した玉送出ユニットＵ１の筐体７への装着状態を図４、５に例示する。
図４に示すように、筐体７内には、上方から玉Ｔが供給される玉導入路７５と、下方に玉Ｔを払出すための玉送出路７６が設けられており、前記のように回転部材を装着開口７２から装入すると、玉導入路７５と玉送出路７６との間に、前記羽根車６１、６２が配設される。かくして、羽根車６１、６２を回転させれば、羽根間のポケットに１個ずつ収容された玉Ｔは、玉導入路７５から下方の玉送出路７６へ送り出される。このとき、図４の事例では、光センサを用いた玉計数ユニットＵ２が玉Ｔの通路に配置され、通過する玉数をカウントし、所定個数の玉が払い出されるよう制御する。
なお、玉計数ユニットＵ２の具体的な構造については後述する。
【００２０】
さらに、玉送出ユニットＵ１の筐体７への装着状態を、２列に整列した玉を受入れ、払い出すケースを示す図４に基づいて説明する。
この場合、駆動モータ２は、ベース３とともに筐体７の１面に取り付けられ、駆動モータ２側から伸びる支持軸５の先端は、筐体７の反対側の壁面が軸受けとなって支持されており、この支持軸５には２個の羽根車６１、６２が支持軸５に回転可能に支持され筐体７内に収容されている。そして、前述の通り、駆動モータ２の正逆回転の切り替えによって、いずれか一方が選択的に回転するよう設定されているので、それぞれの羽根車６１、６２を賞玉用、または貸玉用に割り当てられている。
【００２１】
以上説明したように、本発明では、玉送出部材である羽根車６１（６２）およびこの羽根車を駆動するための駆動モータ２、ベース３、支持軸５、歯車装置４、一方向回転爪車などからなる駆動手段を含む機能部品が相互に組み付けられた状態で玉送出ユニットを形成し、筐体７に装着されているので、前記取付ビスを外せば、玉送出ユニット全体を一度に一括して取り外すことができるのである。なお、本発明においては、少なくとも、玉送出部材である羽根車と、その羽根車を駆動するための支持軸、歯車装置などの駆動手段を一括して取り外すことができれば、その目的をほぼ達することができるのである。
【００２２】
また、本発明でいう駆動手段とは、前記に例示した駆動モータや歯車部材に限るものではなく、回転力など動きを伝達するためのものを言い、クラッチ類、ジョイント類などを含む。従って、玉送出部材とその駆動手段という意味は、２組の玉送出部材と一方向回転爪車と軸と駆動モータの組合せ、および１組の玉送出部材とジョイント機能と駆動モータの組合せ、をも含むものである。
【００２３】
さらに、本発明の好ましい実施形態を説明する。
図１、図２などに示すように、本発明の玉計数払出装置における、賞玉用と貸玉用に割り当てられた２組の玉送出部材である羽根車を、駆動モータの正逆回転にかかわらず、一定方向に回転させるために設けられた歯車装置４を、駆動モータ２側に固定したギヤ支軸に枢支させているが、このように配設すると歯車装置を駆動モータ２側に集約でき、相互に組み付け易くなる利点が得られる。
【００２４】
また、図５に例示するように、玉計数手段としての、一個の基板８１に機能部品として少なくとも発光ダイオード８３、フォトトランジスタ８２を、さらに必要であれば回路用コネクタ８４なども搭載してユニット化し、図３に示すように、ユニット化した玉計数ユニットＵ２を筐体７側面の装着開口７３に装入可能とすれば、前記した玉送出手段の取り外しとともに、玉計数ユニットＵ２を一括して筐体から取り外すことができるように設定できるので本発明の目的からして特に好ましい。
【００２５】
さらには、図１または図３に示すように、賞玉用と貸玉用に割り当てられた２組の玉送出部材である羽根車の間に同軸支持される玉案内盤６３の外周に突起６４を設け、筐体７側の玉送出手段装着用開口７２に設けた切欠部７７に、その突起６４を係合させて、玉案内盤６３が所定位置にセットされたときに、前後の羽根車とは独立して、その設定位置を固定するよう規制する形態に具体化すれば、両側の羽根車によって送り出される玉を一定の方向に案内しつつ下方の玉送出路に送り出すことができ、玉の軌道が一定し払出し動作が安定するという利点が得られる。
【００２６】
【発明の効果】
本発明のパチンコ機の玉計数払出装置は、以上に説明したように構成されているので、必要に応じて、筐体に組み込まれている玉計数払出装置の全構成部品、あるいはその主要部品を一括して前記筐体から取り外すことができる。そして、メンテナンスや、廃棄処分時の分別処理、さらには有用資材のリサイクルを容易にするという優れた効果がある。よって本発明は従来の問題点を解消したパチンコ機の玉計数払出装置として、その工業的価値は極めて大なるものがある。
【図面の簡単な説明】
【図１】本発明の玉計数払出装置の玉送出ユニットを構成する各機能部品の展開・斜視図。
【図２】同じく玉送出ユニットを構成する駆動モータ、ベース、歯車装置の展開・斜視図。
【図３】本発明における玉送出ユニットと玉計数ユニットと筐体の展開・斜視図。
【図４】本発明の玉計数払出装置と筐体の配置を示す側面断面図。
【図５】本発明の玉計数払出装置と筐体の配置を示す回転軸を含む縦方向断面図。
【図６】パチンコ機裏面の各部装置の配置を示す正面図。
【符号の説明】
２  駆動モータ、２１  駆動軸、２２  取付孔、２３  取付ビス、３  ベース、３１  ギヤ支軸、３２  取付孔、４  歯車装置、５  支持軸、６１  羽根車、６１ａ  一方向回転爪車、６２  羽根車、６２ａ  一方向回転爪車、６３  玉案内盤、７  筐体、７２  装着開口、７４  取付部、Ｕ１  玉送出ユニット、Ｕ２  玉計数ユニット
【図１】
0004486184.tif 000002
【図２】
0004486184.tif 000003
【図３】
0004486184.tif 000004
【図４】
0004486184.tif 000005
【図５】
0004486184.tif 000006
【図６】
0004486184.tif 000007